(57)【要約】【課題】個々の画素を個別に制御する機構を用いずに、発光画像と非発光画像とが高度に一体化された発光表示装置を得る。【解決手段】表示領域２６に複数の発光画素４０を備える発光表示装置１であって、発光表示装置１は、発光画素４０の発光強度を発光画素４０毎に制御する手段を有しない発光表示装置１であり、複数の発光画素４０のうちの少なくとも一部は、発光画素４０の光射出面の平面視領域である画素領域４５の一部に黒色ドット５０Ｋを備えていることを特徴とする発光表示装置。【選択図】図４
2009276506.tif 000002
【特許請求の範囲】
【請求項１】
表示領域に複数の発光画素を備える発光表示装置であって、
前記複数の発光画素のうちの少なくとも一部は、該発光画素を平面視した領域である画素領域の一部に重なる遮光性ドットを、該発光画素の光射出面側に備えていることを特徴とする発光表示装置。
【請求項２】
請求項１に記載の発光表示装置であって、
前記発光画素は透光性基板の第２の面上に形成され、かつ前記透光性基板側が前記光射出面側となるように形成されており、
前記遮光性ドットは、前記透光性基板の前記第２の面の反対側の第１の面に形成されていることを特徴とする発光表示装置。
【請求項３】
請求項２に記載の発光表示装置であって、
前記発光画素は、前記光射出面側に備えられた透光性導電材料からなる第１の電極と、前記光射出面側の反対側に備えられた光反射性を有する導電材料からなる第２の電極と、前記第１の電極と前記第２の電極との間に挟持された少なくとも有機ＥＬ材料層を含む発光機能層と、を備えた有機ＥＬ画素であることを特徴とする発光表示装置。
【請求項４】
請求項３に記載の発光表示装置であって、
前記透光性基板は前記表示領域を平面視で含み、前記第２の電極は前記表示領域の略全域に形成されていることを特徴とする発光表示装置。
【請求項５】
請求項４に記載の発光表示装置であって、
前記第１の電極は前記表示領域の全域に形成されており、
前記発光機能層は、前記第１の電極上に形成された、絶縁材料からなる隔壁で区画された凹部内に充填されていることを特徴とする発光表示装置。
【請求項６】
請求項５に記載の発光表示装置であって、
前記隔壁は透光性材料で形成されていることを特徴とする発光表示装置。
【請求項７】
請求項６に記載の発光表示装置であって、
前記凹部は前記表示領域内に規則的に形成されており、
前記凹部のうち、前記発光画素が形成されない凹部には透明絶縁材料が充填されていることを特徴とする発光表示装置。
【請求項８】
請求項７に記載の発光表示装置であって、
前記透光性基板の前記第２の面にはインク受容層が形成されており、
前記遮光性ドットは、該インク受容層に滴下された遮光性材料を含む液滴から溶媒を除去して形成されていることを特徴とする発光表示装置。
【請求項９】
請求項１〜８のいずれか一項に記載の発光表示装置であって、
前記発光表示装置は、前記発光画素の発光強度を該発光画素毎に制御する手段を有しないことを特徴とする発光表示装置。
【請求項１０】
請求項８又は９に記載の発光表示装置であって、
前記発光画素は、赤色光を発光する赤色発光画素と、緑色光を発光する緑色発光画素と、青色光を発光する青色発光画素と、のうちのいずれかの発光画素であることを特徴とする発光表示装置。
【請求項１１】
請求項１０に記載の発光表示装置であって、
前記遮光性ドットは黒色に着色されていることを特徴とする発光表示装置。
【請求項１２】
請求項１１に記載の発光表示装置であって、
前記各々の発光画素の画素領域における前記遮光性ドットが形成されていない領域の少なくとも一部は、該発光画素の発光の波長範囲と略一致する波長範囲の光を透過するように着色されていることを特徴とする発光表示装置。
【請求項１３】
請求項１０に記載の発光表示装置であって、
前記遮光性ドットは、前記各々の発光画素の発光色と補色の関係にある色の光を透過するように着色されていることを特徴とする発光表示装置。
【請求項１４】
請求項１０〜１３のいずれかの一項に記載の発光表示装置であって、
前記着色は、前記インク受容層に滴下された有色透明材料を含む液滴から溶媒を除去して形成されていることを特徴とする発光表示装置。
【請求項１５】
請求項８又は９に記載の発光表示装置であって、
前記発光画素は、白色光を発光する白色発光画素であり、
前記画素領域における前記遮光性ドットが形成されていない領域の少なくとも一部は、赤色光、緑色光、青色光、のうちのいずれかの光を透過するように着色されていることを特徴とする発光表示装置。
【発明の詳細な説明】
【技術分野】
【０００１】
本発明は発光表示装置に関する。
【背景技術】
【０００２】
発光表示装置の１つとしての、表示領域に発光画素としての有機ＥＬ画素を複数配置してなる有機ＥＬ（エレクトロルミネッセンス）装置は、近年、携帯電話、パーソナルコンピュータ等の表示部の用途の他に、屋内外での広告表示等の分野における利用が進展しつつある。該分野においては、有機ＥＬ装置の単独での利用の他に、紙等の非発光の印刷物と組み合わせて利用する形態も増加しつつある。しかし、上述の分野では、個々の有機ＥＬ画素をトランジスタ等で制御する有機ＥＬ装置はコスト的に採用が困難である。そこで、特許文献１では、輝度が一定の有機ＥＬ画素の、表示領域おける密度で色と輝度を表現する方法が提案されている。
【０００３】
【特許文献１】特開２００２−１６４１７３号公報
【発明の開示】
【発明が解決しようとする課題】
【０００４】
しかし、現行（従来）の技術では、赤、緑、青の三原色の有機ＥＬ画素を一単位として表示している。このときの各有機ＥＬ画素は、黒か、三原色すなわち赤、緑、青のいずれかであり、階調表現が乏しい。そして、表示領域に有機ＥＬ画素を紙等の媒体における印刷密度と同等の密度で形成することは困難である。その結果、個々の画素（有機ＥＬ画素）を個別に制御する機構（ＴＦＴ等）を有しない有機ＥＬ装置は、紙等の媒体に印刷された非発光の画像とに比べて階調性及び解像性等の表示品質において劣ることになる。
図１０に、従来例として、従来の個々の有機ＥＬ画素を個別に制御する機構を有しない有機ＥＬ装置における階調性を示す。図１０に示す従来の有機ＥＬ装置は、画素領域４５から赤色光を射出する赤色有機ＥＬ画素４０Ｒと、該画素と同面積の反射表示領域である黒色画素４０Ｋとを組み合わせて、（赤→黒の）階調を表現している。なお、反射表示領域にも便宜上「画素及び画素領域」という文言を使用している。また、図１０に示す従来例として赤単色の階調性を示しているが三原色を組み合わせた場合も同様である。
【０００５】
上述の画素領域内の発光は均一である。すなわち、赤色有機ＥＬ画素４０Ｒの画素領域４５の全域から赤色光が射出され、一方、画素領域４５と同一形状の黒色画素４０Ｋからは全く光が射出されていない。したがって、階調性は、単位面積当たりの赤色有機ＥＬ画素４０Ｒと黒色画素４０Ｋとの比で定まる。図１０の横方向に並ぶ５つの画素領域４５を一つの単位面積とした場合、従来の有機ＥＬ装置は、５段階の階調性を得ているに留まっている。一方、印刷技術を用いて形成された非発光画像は、画素領域４５に相当する面積内に複数のドットを形成できるため、はるかに精細な階調表現が可能である。そのため、両者（非発光画像と、発光画像としての有機ＥＬ装置）を組み合わせた場合、非発光画像と発光画像とを高度に一体化することが困難であるという問題点がある。
【課題を解決するための手段】
【０００６】
本発明は、上記課題の少なくとも一部を解決するためになされたものであり、以下の形態又は適用例として実現することが可能である。
【０００７】
［適用例１］
表示領域に複数の発光画素を備える発光表示装置であって、上記複数の発光画素のうちの少なくとも一部は、該発光画素を平面視した領域である画素領域の一部に重なる遮光性ドットを、該発光画素の光射出面側に備えていることを特徴とする発光表示装置。
【０００８】
このような構成の発光表示装置であれば、表示領域内における上記発光画素の形成密度と、上述の発光画素の光射出面側に対向する領域における上記遮光性ドットの形成密度との相乗効果により、階調表現が向上した画像を表示できる。
なお、上記遮光性ドットが上記画素領域の一部に備えられる、すなわち形成され得るということは、上記遮光性ドットの平面視での大きさが上記画素領域の大きさと比べて小さいということである。また、上記遮光性ドットは可視光の波長範囲の光の略全てを遮光できる（黒色の）ドットのみではなく、所定の波長範囲の光のみを遮光するように黒色を除く特定の色に着色された有色のドットも含む。
【０００９】
［適用例２］
上述の発光表示装置であって、上記発光画素は透光性基板の第２の面上に形成され、かつ上記透光性基板側が上記光射出面側となるように形成されており、上記遮光性ドットは、上記透光性基板の上記第２の面の反対側の第１の面に形成されていることを特徴とする発光表示装置。
【００１０】
このような構成であれば、上記発光画素を上記透光性基板で保護した状態で画像を表示できる。したがって、このような発光表示装置であれば、発光表示時の経時劣化等を抑制できる。
【００１１】
［適用例３］
上述の発光表示装置であって、上記発光画素は、上記光射出面側に備えられた透光性導電材料からなる第１の電極と、上記光射出面側の反対側に備えられた光反射性を有する導電材料からなる第２の電極と、上記第１の電極と上記第２の電極との間に挟持された少なくとも有機ＥＬ材料層を含む発光機能層と、を備えた有機ＥＬ画素であることを特徴とする発光表示装置。
【００１２】
有機ＥＬ画素は外部照明源を必要としない。したがって、このような発光表示装置であれば、発光表示時の消費電力を低減できる。
【００１３】
［適用例４］
上述の発光表示装置であって、上記透光性基板は上記表示領域を平面視で含み、上記第２の電極は上記表示領域の略全域に形成されていることを特徴とする発光表示装置。
【００１４】
このような発光表示装置であれば、上記表示領域の上記発光画素が形成されていない領域を反射表示領域として利用できる。したがって、発光による画像と外光の反射を用いた画像とが組み合わされた画像を表示できる。
【００１５】
［適用例５］
上述の発光表示装置であって、上記第１の電極は上記表示領域の全域に形成されており、上記発光機能層は、上記第１の電極上に形成された、絶縁材料からなる隔壁で区画された凹部内に充填されていることを特徴とする発光表示装置。
【００１６】
このような構成の発光表示装置であれば、上記発光機能層を、該発光機能層材料を含む液体材料を上記凹部内に滴下した後乾燥させることにより形成できる。したがって、マスク等を用いずに上記基板上の任意の箇所に発光画素を形成でき、多種の発光表示装置を製造する際のコストが低減される。
なお、上記マスクは、フォトリソグラフィー工程で用いるフォトマスク、及び、スパッタ工程あるいは蒸着工程で用いるマスクの双方を含んだ表現である。
また、上記凹部のうち発光表示領域に形成されたものが最終的に画素領域となる。
【００１７】
［適用例６］
上述の発光表示装置であって、上記隔壁は透光性材料で形成されていることを特徴とする発光表示装置。
【００１８】
このような構成の発光表示装置であれば、上記発光画素が形成されない凹部を反射表示領域として利用するにあたり、上記隔壁の形成領域も反射表示領域として利用できる。したがって、反射表示時の表示品質が向上される。
【００１９】
［適用例７］
上述の発光表示装置であって、上記凹部は上記表示領域内に規則的に形成されており、上記凹部のうち、上記発光画素が形成されない凹部には透明絶縁材料が充填されていることを特徴とする発光表示装置。
【００２０】
このような構成であれば、上記発光画素が形成されない凹部を反射表示領域として利用するにあたり、上記第１の電極と上記第２の電極との短絡を回避できる。そして、表示する画像にかかわらず、上記隔壁を同一のパターンにできる。したがって、多種の発光表示装置を製造する際のコストがより一層低減される。
【００２１】
［適用例８］
上述の発光表示装置であって、上記透光性基板の上記第２の面にはインク受容層が形成されており、上記遮光性ドットは、該インク受容層に滴下された遮光性材料を含む液滴から溶媒を除去して形成されていることを特徴とする発光表示装置。
【００２２】
インク受容層を用いることで、上記遮光性ドットの平面視形状を上記画素領域に比べて相対的に小さくできる。したがって、このような構成の発光表示装置であれば、より一層階調性の向上した画像を表示できる。
【００２３】
［適用例９］
上述の発光表示装置であって、上記発光表示装置は、上記発光画素の発光強度を該発光画素毎に制御する手段を有しないことを特徴とする発光表示装置。
【００２４】
上述の発光表示装置は上記遮光性ドットの形成密度により階調表現が可能なので、このような構成の発光表示装置であれば、表示品質の低下を抑制しつつ製造コストを低減できる。
【００２５】
［適用例１０］
上述の発光表示装置であって、上記発光画素は、赤色光を発光する赤色発光画素と、緑色光を発光する緑色発光画素と、青色光を発光する青色発光画素と、のうちのいずれかの発光画素であることを特徴とする発光表示装置。
【００２６】
このような構成の発光表示装置であれば、カラー画像を形成できる。
【００２７】
［適用例１１］
上述の発光表示装置であって、上記遮光性ドットは黒色に着色されていることを特徴とする発光表示装置。
【００２８】
このような構成であれば、全ての波長範囲の光を遮光できるため、発光表示時の表示品質を向上できる。
【００２９】
［適用例１２］
上述の発光表示装置であって、上記各々の発光画素の画素領域における上記遮光性ドットが形成されていない領域の少なくとも一部は、該発光画素の発光の波長範囲と略一致する波長範囲の光を透過するように着色されていることを特徴とする発光表示装置。
【００３０】
上述の着色により、上記第２の電極で反射された光に、上記各々の発光画素の発光色と略同一の色を付与できる。したがって、このような構成の発光表示装置であれば、反射表示時においても、発光表示時と略同等の画像を表示でき、消費電力の低減等が可能となる。
なお、上述のように特定の波長範囲の光を透過するように着色されているということは、画素領域における上記遮光性ドットが形成されていない領域は、有色透明領域となっているということである。具体的には、上記赤色発光画素の画素領域における上記遮光性ドットが形成されていない領域の少なくとも一部は赤色に着色されており、上記緑色発光画素の画素領域における上記遮光性ドットが形成されていない領域の少なくとも一部は緑色に着色されており、上記青色発光画素の画素領域における上記遮光性ドットが形成されていない領域の少なくとも一部は青色に着色されているということである。
【００３１】
［適用例１３］
上述の発光表示装置であって、上記遮光性ドットは、上記各々の発光画素の発光色と補色の関係にある色の光を透過するように着色されていることを特徴とする発光表示装置。
【００３２】
このような構成であれば、反射表示時に、各々の発光画素の補色で形成された画像を表示できる。したがって、表示可能な表現が増加することとなり、広告表示等の分野における有効性が向上する。
【００３３】
［適用例１４］
上述の発光表示装置であって、上記着色は、上記インク受容層に滴下された有色透明材料を含む液滴から溶媒を除去して形成されていることを特徴とする発光表示装置。
【００３４】
このような構成であれば、上述の着色を、上記遮光性ドットの形成工程と同一の工程で形成できる。したがって、発光表示装置の製造コストを低減できる。
【００３５】
［適用例１５］
上述の発光表示装置であって、上記発光画素は、白色光を発光する白色発光画素であり、上記画素領域における上記遮光性ドットが形成されていない領域の少なくとも一部は、赤色光、緑色光、青色光、のうちのいずれかの光を透過するように着色されていることを特徴とする発光表示装置。
【００３６】
このような構成であれば、各々の上記画素領域内に三原色のドットを形成できる。したがって、発光表示装置の階調性が向上するとともに、色解像性も向上する。
なお、上述のいずれかの光を透過するように着色されているということは、画素領域における上記遮光性ドットが形成されていない領域は、赤、緑、青のいずれかの色の有色透明領域となっているということである。そして、該有色透明領域は、カラーフィルタとして機能し得る。したがって、各画素領域から（可視光の波長範囲の内の）任意の波長範囲の光を射出でき、カラー画像を形成できる。
【発明を実施するための最良の形態】
【００３７】
以下、図面を参照し、発光表示装置としての有機ＥＬ装置の実施形態について説明する。なお、以下に示す各図においては、各構成要素を図面上で認識され得る程度の大きさとするため、各構成要素の寸法や比率を実際のものとは適宜に異ならせてある。
【００３８】
（第１の実施形態）
第１の実施形態の有機ＥＬ装置、及び該有機ＥＬ装置の製造工程について、図１〜図３の工程断面図を用いて説明する。本発明を具体化した有機ＥＬ装置は、製造工程についても特徴がある。そこで、第１の実施形態の有機ＥＬ装置については製造工程を含めて説明する。該製造工程は以下に記載する第２〜第４の実施形態の有機ＥＬ装置についても共通するものである。なお、図１〜３は連続した工程図であるため、図１で説明した要素について、図２及び図３では説明の記載を一部省略している。
【００３９】
まず、図１（ａ）に示すように、ガラス等の透光性材料からなる透光性基板１０の、第１の面としての表示面７上の、少なくとも表示領域２６の全面（全域）にインク受容層１４を形成する。そして透光性基板１０の表示面７の反対側の面である第２の面としての裏面８上に、バリア層１６と、第１の電極としての陽極２１と、を記載の順に形成（積層）する。ここで、表示面７は有機ＥＬ装置の観察者に対向する側の面である。そして、陽極２１上を隔壁１８で区画して機能液受容部４４を形成する。
【００４０】
表示領域２６は、発光表示装置としての有機ＥＬ装置が画像を表示する領域である。該領域は、発光表示領域２７と反射表示領域２８とからなる。発光表示領域２７は、後述する発光画素としての有機ＥＬ画素４０の発光により画像を表示する領域である。反射表示領域２８は、有機ＥＬ画素４０が形成されていない領域であり、外光の反射により画像を表示する領域である。
以下の記載においては、発光表示領域２７と反射表示領域２８とは、表示面７側のみではなく裏面８側にも適用する概念と定義する。また、「全面」と言う文言は特に断らない限り、表示領域２６の全域を示すものとする。
【００４１】
発光表示領域２７と反射表示領域２８とは、表示領域２６を二分するようにも形成できるし、また、該双方の領域が表示領域２６内に細かくパッチ状に混在するようにも形成できる。なお、発光表示領域２７は、有機ＥＬ画素４０が非発光状態にあるときは、反射により画像を表示することもできる。図１〜１０は全て表示領域２６内を図示している。そこで、図１（ｂ）〜図３（ｂ）の図面においては、表示領域を示す‘２６’の符号は記載を省略する。
【００４２】
インク受容層１４としては、インクを膨潤して吸収する膨潤型受容層、又は、インクを多孔質の空隙に吸収するマイクロポーラス型受容層等を用いることができる。バリア層１６は、酸化シリコン（ＳｉＯ2）、窒化シリコン（Ｓｉ3Ｎ4）等の透光性材料からなり、裏面８上の全面に形成される。
陽極２１はＩＴＯ（酸化インジウム・錫）、ＩＺＯ（酸化インジウム・亜鉛）等の透光性導電材料からなる。本実施形態の有機ＥＬ装置は、ＴＦＴ等により個々の画素（有機ＥＬ画素）を個別に制御する機構を有しないため、陽極２１はバリア層１６と同様に裏面８上の全面に形成される。
【００４３】
隔壁１８は、アクリル等の有機絶縁材料層、又は無機絶縁材料層をパターニングして形成されている。パターニングはフォトリソグラフィー法により行うことができる。感光性のアクリル樹脂等を用いると、フォトレジスト層の形成と除去の工程を省略できるため、好適である。発光表示領域２７において、隔壁１８を側壁部として、陽極２１を底部とする凹部が機能液受容部４４である。
【００４４】
後述するように、発光表示領域２７に形成された凹部としての機能液受容部４４には発光機能層４２（図２（ｂ）参照）が形成されて、有機ＥＬ画素４０（図３（ｂ）参照）の画素領域４５（図４参照）となる。一方、反射表示領域２８に形成された機能液受容部４４には、透明絶縁層２５（図３（ａ）参照）が形成される。以下の記載において、断面図では隔壁１８で区画された領域に「機能液受容部４４」の文言を用いる。そして、発光表示領域２７に形成された有機ＥＬ画素４０を示す平面図においては、図１０に示す従来例に合わせて「画素領域４５」の文言を用いる。
【００４５】
本実施形態及び後述する各実施形態にかかる有機ＥＬ装置は、図１（ｂ）以降の工程で表示する画像が決定される。したがって、図１（ａ）に示すまでの工程（段階）が前工程であり、透光性基板１０は、図１（ａ）に示す状態でストックできる。したがって、隔壁１８は、表示する画像に関係なく、表示領域２６の全域（全面）に、規則的に形成される。なお、本実施形態にかかる有機ＥＬ装置１の隔壁１８は透光性材料で形成されているが、遮光性材料で形成することもできる。
【００４６】
次に、図１（ｂ）に示すように、発光表示領域２７のインク受容層１４の所定の位置に、図示しない液滴吐出装置のノズル３９から、黒色インクの液滴７１を吐出して、遮光性ドットとしての黒色ドット５０Ｋを形成する。遮光性ドットは、黒色インクの替わりに、グレー色のインクを用いて形成することもできる。また、後述する赤、青、緑、の三原色の色材インクを同一箇所に吐出して原色混合（減法混色）させることで黒色のドットを形成することもできる。
以下の記載において、遮光性ドットは総称として用い、該遮光性ドットの形成に用いたインクの色により「５０＋アルファベット」の符号を付加する。黒色インクで形成した遮光性ドットは、黒色ドット５０Ｋと称する。
【００４７】
図１（ｂ）及び図１（ｃ）は、便宜上、透光性基板１０を表裏を逆にして（反転させて）表示している。したがって、本図及び図１（ｃ）では表示面７が上向きに表示されている。インク受容層１４は、一般的な、いわゆるインクジェット記録用紙の表面に形成されている層と同様の層である。したがって、上記インクを吐出することにより、任意の位置に黒色ドット５０Ｋを形成できる。また、必要であれば、乾燥工程等を追加的に実施することもできる。
【００４８】
遮光性ドットは後述する有機ＥＬ画素の階調性を決定するための物である。したがって、該遮光性ドットの形成位置及び形成密度等は、発光表示領域２７に形成されるべき画像によって定められる。黒色ドット５０Ｋは、隔壁１８と平面視で重なる領域にも形成できる。また、必要によっては、反射表示領域２８にも形成する。
【００４９】
次に、図１（ｃ）に示すように、反射表示領域２８におけるインク受容層１４の所定の位置に、図示しない液滴吐出装置のノズル３９から色材インクの液滴７２を吐出して、有色ドット３０を形成する。有色ドット３０の配置は、反射表示領域２８に形成されるべき画像によって定められる。隔壁１８と平面視で重なる領域にも形成することが好ましい。
【００５０】
色材インクは、顔料又は染料を溶媒に分散又は溶解させた有色の液材（液体材料）であり、Ｒ（赤），Ｇ（緑），Ｂ（青）の三原色を少なくとも含んでいる。したがって、反射表示領域２８には、赤色ドット３０Ｒと緑色ドット３０Ｇと青色ドット３０Ｂとの、少なくとも三原色のドットが形成される。有色ドット３０とは、上記三原色のドット及び後述する他の有色ドットの総称である。上述の遮光性ドットの形成工程と同じく、乾燥工程等を追加的に実施することもできる。
なお、図１（ｂ）に示す黒色ドット５０Ｋの形成工程と図１（ｃ）に示す有色ドット３０の形成工程とは、どちらを先に実施してもよい。ノズル３９が、色材インクの液滴７２と黒色インクの液滴７１との双方の液滴を同時に吐出できる場合は、上記双方の工程を同時に実施できる。
【００５１】
次に、図２（ａ）に示すように、発光表示領域２７における機能液受容部４４に、ノズル３９から有機ＥＬ材料を含む機能液７４の液滴７３を吐出する。各機能液受容部４４に所定量の機能液７４が配置される。なお、図２（ａ）〜図３（ｃ）までは、図１（ａ）と同様に、裏面８を上向きにして描画している。
【００５２】
機能液７４は、有機ＥＬ材料をトルエン又はキシレン等の溶媒に溶解して得られる液材である。本工程では、将来的に形成される有機ＥＬ画素の発光色により機能液７４Ｒ，７４Ｇ，７４Ｂの三種類の機能液が用いられる。Ｒ（赤），Ｇ（緑），Ｂ（青）は夫々の発光色であり、機能液７４は上記三種類の機能液の総称である。機能液７４Ｒは、発光層ホスト材料ＢＨ２１５（出光興産社製）と赤発光ドーパントＲＤ００１（出光興産社製）を混合して溶媒に溶解して２％溶液としたものである。機能液７４Ｇは、発光層ホスト材料ＢＨ２１５（出光興産社製）と緑発光ドーパントＧＤ２０６（出光興産社製）を混合して溶媒に溶解して２％溶液としたものである。機能液７４Ｂは、発光層ホスト材料ＢＨ２１５（出光興産社製）と青発光ドーパントＢＤ１０２（出光興産社製）を混合して溶媒に溶解して２％溶液としたものである。ホストに対するドーパントの混合比は、数％から１０％程度が好ましい。
【００５３】
次に、図２（ｂ）に示すように、機能液７４から溶媒を乾燥等の手段により除去して、各機能液受容部４４に、赤色発光機能層４２Ｒと緑色発光機能層４２Ｇと青色発光機能層４２Ｂとの内のいずれかの発光機能層４２を形成する。該４２の後に付属する大文字のアルファベットは機能液７４のアルファベットと同じく発光色を表わしている。したがって、発光機能層４２は上記三種類の発光機能層の総称である。発光機能層４２の上面は隔壁１８の上面と略一致することが好ましい。したがって、隔壁１８の高さは、発光機能層４２の層厚に略一致するように定められている。
【００５４】
発光機能層４２は、正孔注入層及び正孔輸送層と発光層とに分けて形成することもできる。かかる場合は、図２（ａ）に示す液滴７３の吐出工程と図２（ｂ）に示す溶媒の除去工程とをそれぞれ複数回繰り返すこととなる。上述の、夫々の種類の発光機能層４２（Ｒ，Ｇ，Ｂ）は、発光表示領域２７における任意の画素領域４５に形成できる。ただし、本実施形態においては、１つの機能液受容部４４内に、夫々が異なる色を発光する複数種の発光機能層４２を積層させる手法はとらない。
【００５５】
次に、図２（ｃ）に示すように、反射表示領域２８における機能液受容部４４、にノズル３９から透明絶縁材料を含む液材７６の液滴７５を吐出する。液材７６には、乾燥後に絶縁性を有する必要があり、ＳｉＯ2、Ｓｉ3Ｎ4等の無機材料を溶媒に分散したものを用いることができる。また、ポリイミド樹脂系、エポキシ樹脂系、ポリエステル樹脂系、フェノール樹脂系等の透明樹脂の前駆体を用いることもできる。
【００５６】
次に、図３（ａ）に示すように、液材７６を硬化させて透明絶縁層２５を形成する。液材７６に無機材料を用いた場合は、上記溶媒を乾燥除去することにより硬化させることができる。また、上記前駆体を用いた場合は、加熱あるいは紫外線照射等により硬化させることができる。
【００５７】
ここで、透光性基板１０の表示面７に黒色ドット５０Ｋ及び有色ドットを形成する工程の前に、該基板の裏面８側に発光機能層４２及び透明絶縁層２５を形成する工程を実施することもできる。ただし、発光機能層４２等を形成する工程は加熱処理を実施するため、透光性基板１０が加熱により変形し得る材料からなる場合には後から形成する黒色ドット５０Ｋ等の位置合わせが困難になり、完成した有機ＥＬ装置１の表示品質を劣化させ得る。したがって、先に表示面７側に黒色ドット５０Ｋ等を形成することが好ましい。
【００５８】
次に、図３（ｂ）に示すように、透明絶縁層２５等が形成された裏面８上全面に、第２の電極としての陰極２２を形成する。陰極２２は、有機ＥＬ装置１の電極（陰極）としての機能と共に、反射層としての機能も必要である。陰極としては、仕事関数が４．２ｅＶ以下の金属、あるいは仕事関数が３．５ｅＶ以下のアルカリ金属及びアルカリ土類金属が好ましい。本実施形態においては、陰極としての機能を受け持つＭｇＡｇ（マグネシウム・銀合金）層を先に形成して、該ＭｇＡｇ層上に、反射機能を受け持つＡｌ（アルミニウム）層を積層して、陰極２２としている。ＭｇＡｇ層の形成前に、すなわち透明絶縁層２５及び発光機能層４２とＭｇＡｇ層との層間に電子注入層としてＬｉＦ（弗化リチウム）層を形成してもよい。なお、陰極２２上に、陰極２２とは別途、反射層を形成してもよい。
【００５９】
以上の工程で、発光表示領域２７における機能液受容部４４に、陽極２１と陰極２２との間に発光機能層４２を挟持してなる有機ＥＬ画素４０が形成される。有機ＥＬ画素４０の後に付属する大文字のアルファベットは機能液７４のアルファベットと同じく、発光色を表わしている。したがって、以上の工程で、赤色発光画素としての赤色有機ＥＬ画素４０Ｒと緑色発光画素としての緑色有機ＥＬ画素４０Ｇと青色発光画素としての青色有機ＥＬ画素４０Ｂとが、発光表示領域２７における任意の機能液受容部４４に形成される。
上述したように、有機ＥＬ画素４０が形成された機能液受容部４４の平面視での領域が、画素領域４５である。
【００６０】
最後に、図３（ｃ）に示すように、陰極２２上に接着層２０を介して封止基板１２を貼付する。以上の工程で、本実施形態にかかる発光表示装置としての有機ＥＬ装置１が形成される。なお、封止基板１２は透光性を必要としないため、ガラス等の透光性材料を用いる必要はない。
【００６１】
以上の工程により、第１の実施形態の有機ＥＬ装置１を得ることができる。陽極２１と陰極２２とは、表示領域２６の範囲外において、図示しない電源に接続されている。該電源をＯＮにして陽極２１と陰極２２との間に電圧を印加すると、発光表示領域２７に形成された有機ＥＬ画素４０が発光し、該領域に画像を形成する。
有機ＥＬ画素４０は透光性基板１０と封止基板１２とで挟持されており、透光性基板１０側が光射出面側となる。遮光性ドットは透光性基板１０の表示面７側に形成されているため、有機ＥＬ画素４０の発光のうち遮光性ドットによって遮られなかった光によって上記画像は形成される。
【００６２】
上述したように反射表示領域２８は外光の反射により画像を表示する。有機ＥＬ装置１は、外光が存在する環境であれば、発光表示領域２７に形成される画像と反射表示領域２８に形成される画像とが一体化した画像を表示できる。なお、有機ＥＬ装置１は、個々の有機ＥＬ画素４０に印加する電圧を制御する機構は有しないが、陽極２１と陰極２２との間に印加する電圧を変化させて、発光表示領域２７の全体の明度を加減することはできる。
【００６３】
本実施形態にかかる有機ＥＬ装置１は、各有機ＥＬ画素４０の画素領域４５内に遮光性ドットとしての黒色ドット５０Ｋが形成されている。なお、上述したように、「画素領域４５内」とは、発光表示領域２７における機能液受容部４４の平面視での領域である。陽極２１と陰極２２との間に電圧が印加されているときは、画素領域４５のうちの黒色ドット５０Ｋが形成されていない領域から、発光機能層４２の発光が観察者に向けて射出される。したがって、有機ＥＬ装置１の画素領域４５内には、発光機能層４２の発光を遮る黒色ドット５０Ｋと、発光機能層４２の発光を透過する透過ドットと、が混在していると考えることができる。ここで、該透過ドットに符号をつけて透過ドット４９と称する。透過ドット４９とは、画素領域４５内における黒色ドット５０Ｋが形成されていない領域を、黒色ドット５０Ｋの面積と同面積となるように区画した領域と定義される。有機ＥＬ装置１によれば、画素領域４５内における黒色ドット５０Ｋと透過ドット４９との比率を調整するにより有機ＥＬ画素間の階調性を細かく設定できる。
【００６４】
図４に、本実施形態にかかる有機ＥＬ装置１の階調性を示す。有機ＥＬ装置１の各々の画素領域４５内は、１９個のドット（黒色ドット５０Ｋと透過ドット４９との総称）に区画されており、矢印の方向にいくにつれて黒色ドット５０Ｋの形成比率が低くなっている。したがって、矢印の方向に輝度が段階的に上昇している。有機ＥＬ装置１は、矢印の方向に１０段階の階調性を得ている。１つの画素領域４５内には、図示するように１９個のドットが形成されている。したがって、１９段階の階調性を得ることもできる。また、１つの画素領域４５内をより一層細かいドットに区画することで、より一層細かい階調性を得ることもできる。
なお、上述したように、図４に示す「画素領域４５」は図１〜３において、発光表示領域２７内に形成された機能液受容部４４を平面視した領域である。
【００６５】
図１０に示す従来例では、発光表示領域２７内における発光画素４０（赤色有機ＥＬ画素４０Ｒ等）と黒色画素４０Ｋとの比で階調性を表現していた。隔壁１８で区画される発光画素４０は、上述の遮光性ドットとしての黒色ドット５０Ｋのようには細かく形成できないため、階調性を向上させることは困難であった。しかし、有機ＥＬ装置１は、発光画素としての有機ＥＬ画素４０に、すなわち該有機ＥＬ画素と平面視で重なるインク受容層１４に黒色インクの液滴７１を吐出することによって黒色ドット５０Ｋを形成している。したがって、表示面における発光画素の形成密度により階調性を表現する有機ＥＬ装置に比べて、細かい階調性を有する画像を表示できる。そして、発光画素を用いているにもかかわらず、紙等の媒体に印刷された非発光の画像と略等しい階調性を有する画像を表示できる。
【００６６】
上述したように、液滴吐出装置を用いて紙等の媒体に印刷すれば、階調性の高い画像を形成できる。しかし有機ＥＬ装置１は、発光画素と印刷により形成された黒色ドット５０Ｋとを組み合わせたことにより、ＴＦＴ等を用いて各々の発光画素を個別に制御せずに、階調性が高くかつ発光状態と非発光状態を切り替え可能な画像を表示できる。そして、本実施形態の有機ＥＬ装置１は、発光表示領域２７に液滴吐出法（すなわち印刷法）により黒色ドット５０Ｋが形成されていると共に、反射表示領域２８にも有色ドットが形成され、該有色ドットにより画像が形成されている。したがって、発光表示領域２７と反射表示領域２８には略等しい階調性を有する画像が形成される。そして、上記双方の画像は、違和感無く組み合わせることができる。その結果、従来にない画像表示が可能な発光表示装置としての有機ＥＬ装置を実現できる。
なお、以下の記載において「有機ＥＬ画素４０（４０Ｒ等）にドットを形成する」という文言は、「インク受容層１４における該画素と平面視で重なる領域にインクを吐出してドットを形成する」という意味で用いる。
【００６７】
図５に、上述の、発光表示領域２７と反射表示領域２８とを組み合わせた画像の表示例示す。図５に示す有機ＥＬ装置の表示領域２６は、コーヒーカップの形状の発光表示領域２７と、該発光表示領域の周囲の反射表示領域２８とに区画されている。すなわち、発光表示領域２７に形成された隔壁１８で区画される機能液受容部４４には発光機能層４２が形成されている。そして、反射表示領域２８に形成された該機能液受容部には透明絶縁層２５が形成されている。なお、上記双方の領域には、第１の面に形成された有色ドットにより、図示しない模様、背景等が形成されている。
【００６８】
反射表示領域２８は、該反射表示領域に形成された有色ドットによる反射表示がなされているため、（周囲の明るさが変わらない限り）同一の画像を表示している。したがって、かかる有機ＥＬ装置において、発光表示領域２７に形成されている有機ＥＬ画素をＯｎ／Ｏｆｆすると、有機ＥＬ画素の点灯（Ｏｎ）時にはコーヒーカップが強調され、有機ＥＬ画素の非点灯（Ｏｆｆ）時には周囲の背景が相対的に強調される。そして、発光表示領域２７と反射表示領域２８とは略同一の階調性を有しているため高度に一体化しており、双方の表示態様を違和感無く切り替えられる。
【００６９】
ここで、表示領域２６の全てが発光表示領域２７として印刷のみで形成されていた場合、従来の有機ＥＬ装置に比べて高い階調性を有する画像を表示できるが、上述の切り替えはできない。また、発光表示領域２７に、上述した従来の（ＴＦＴ等を用いない）有機ＥＬ装置が形成されていた場合、周囲の反射表示領域２８との間に、階調性の差に起因する違和感が発生する。
【００７０】
本実施形態の有機ＥＬ装置１は、ＴＦＴ等を用いて発光画素の発光を個別に制御することなく、反射による画像（反射表示領域２８に形成される画像）と有機ＥＬ画素４０の発光による画像（発光表示領域２７に形成される画像）とを違和感無く組み合わせて、該有機ＥＬ画素の発光をＯｎ／Ｏｆｆさせることで、従来にない画像表示を可能としている。
【００７１】
また、本実施形態の有機ＥＬ装置１は、図１（ａ）に示す段階まで形成した状態でストックできる。そして必要に応じて、液滴吐出装置を用いて発光機能層４２、透明絶縁層２５、有色ドット、及び遮光性ドット等を形成することで、上記双方の領域、及び該双方の領域内の有色ドットによる画像も含めて任意に形成できる。したがって、多品種少量の生産を低コストかつ短納期で実施でき、屋内外での広告表示等の分野における有用性が向上している。
【００７２】
（第２の実施形態）
続いて、第２の実施形態について説明する。図６は、第２の実施形態にかかる有機ＥＬ装置２の模式断面図である。本図において、第１の実施形態の有機ＥＬ装置１の構成要素と同一の構成要素には同一の符号を付与し、説明の記載は省略する。
【００７３】
本実施形態の有機ＥＬ装置２は、発光表示領域２７におけるインク受容層１４の、黒色ドット５０Ｋが形成されていない領域に、有色ドットが形成されていることが特徴である。具体的には、インク受容層１４の、平面視で赤色有機ＥＬ画素４０Ｒと重なる領域には黒色ドット５０Ｋと赤色ドット３０Ｒとが互いに重ならないように形成されている。同様に、緑色有機ＥＬ画素４０Ｇに対応するインク受容層１４には緑色ドット３０Ｇが形成され、青色有機ＥＬ画素４０Ｂに対応するインク受容層１４には青色ドット３０Ｂが形成されている。
【００７４】
かかる有色ドット３０は、各々の有機ＥＬ画素４０の発光色に対応する色であるため、各々の有機ＥＬ画素４０の発光を妨げることは殆んど無く、略全てを透過させる。したがって、有機ＥＬ画素４０に電圧が印加されているとき、すなわち発光表示時には、有機ＥＬ装置２の発光表示領域２７には、第１の実施形態の有機ＥＬ装置１と同様の画像が形成される。
【００７５】
一方、非発光表示時、すなわち上述の電圧が印加されていないときには、各々の有機ＥＬ画素４０の形成領域、すなわち画素領域４５に入射した外光は、陰極２２で反射されて、反射光として観察者に向けて射出される。上記反射光は、有色ドット３０により、所定の波長範囲の光、すなわち各々の有機ＥＬ画素の発光色と略一致する光として射出される。したがって有機ＥＬ装置２は、発光表示領域２７に発光表示時と外光を利用しての反射表示時とで、略同一の画像を表示できる。したがって、本実施形態にかかる有機ＥＬ装置２は、充分な外光が存在する時においては消費電力を低減でき、画像表示に要するコストを抑制できる。
【００７６】
なお、有色ドット３０は、画素領域４５内における、遮光性ドットが形成されていない領域の一部に形成されていてもよい。有色ドット３０は、互いに若干の間隔を空けて形成されていても、反射光を有色光とすることは可能である。また、各々の有機ＥＬ画素４０の発光色の波長範囲と、該有機ＥＬ画素に対応する有色ドット３０が透過させ得る光の波長範囲とは、完全に一致している必要はない。可視光の波長範囲外の光については、特に考慮する必要はない。
【００７７】
（第３の実施形態）
続いて、第３の実施形態について説明する。図７は、第３の実施形態にかかる有機ＥＬ装置３の模式断面図である。本図において、第１の実施形態の有機ＥＬ装置１の構成要素と同一の構成要素には同一の符号を付与し、説明の記載は省略する。
【００７８】
本実施形態の有機ＥＬ装置３は、遮光性ドットが黒色インク又はグレーインク等ではなく、該遮光性ドットが形成される有機ＥＬ画素４０の発光色の補色の関係にある色のインクを用いて形成されている。すなわち、赤色有機ＥＬ画素４０Ｒに対応する遮光性ドットとしてはシアンドット５０Ｃが形成され、緑色有機ＥＬ画素４０Ｇに対応する遮光性ドットとしてはマゼンタドット５０Ｍが形成され、青色有機ＥＬ画素４０Ｂに対応する遮光性ドットとしてはイエロードット５０Ｙが形成されている。
【００７９】
各々の有機ＥＬ画素４０の発光の色に対して補色の関係にある色は、該発光を吸収するため、発光表示時においては黒色ドット５０Ｋと略同一の機能を発揮できる。したがって、有機ＥＬ装置３は、発光表示時には、図４に示すような階調性を表現できる。一方、反射表示時には、発光表示領域２７に、上述の補色ドット（シアンドット５０Ｃ等の総称）による画像が表示される。陰極２２で反射される外光は補色ドットを２回透過することにより、該補色の波長範囲の光となって観察者に向けて射出される。かかる光によって形成される画像は、形状及び模様は有機ＥＬ画素４０の発光により形成される画像と同一であり、色彩が異なっている。したがって、発光表示領域２７を用いて２通りの画像を表示でき、多様性に富んだ画像表示が可能となる。
【００８０】
（第４の実施形態）
続いて、第４の実施形態について、図８及び図９を用いて説明する。図８は、第４の実施形態にかかる有機ＥＬ装置４の模式断面図である。本図及び後述する図９において、第１の実施形態の有機ＥＬ装置１の構成要素と同一の構成要素には同一の符号を付与し、説明の記載は省略する。
【００８１】
本実施形態の有機ＥＬ装置４は、有機ＥＬ画素４０に、遮光性ドットとしての黒色ドット５０Ｋと共に、Ｒ，Ｇ，Ｂの三原色の有色ドット３０のうちの任意のドットが形成されている。ここで「任意」とは、三原色すなわち三種類の有色ドット３０の全て（全種類）が形成されていてもよく、１又は２種類の有色ドット３０が形成されていてもよいということである。
【００８２】
有機ＥＬ画素４０の発光機能層４２としては、上述の第１〜３の実施形態の有機ＥＬ装置とは異なり、白色光を発光する白色発光機能層４２Ｗが形成されている。したがって、発光表示領域２７内には、白色光を発光する白色有機ＥＬ画素４０Ｗのみが規則的に配置されている。該白色光を有色ドット３０を透過させることにより、三原色のいずれかの色の光として観察者に向けて射出できる。したがって、有機ＥＬ装置４は、第１〜３の実施形態の有機ＥＬ装置とは異なり、有機ＥＬ画素４０内で、三原色光を任意の比率で混合して得られる任意の波長分布を有する光を形成して射出できる。
【００８３】
図９は、図８に示す有機ＥＬ装置４の発光表示領域２７を平面視で示した模式平面図であり、画素領域４５内における有色ドット３０の配置を示す摸式平面図である。図示するように、左上の発光画素４０の画素領域４５内には赤色ドット３０Ｒのみが形成されている。したがって、該左上の発光画素は、赤の単色光を射出する。下向きの矢印の方向に進むにつれて赤色ドット３０Ｒに対する緑色ドット３０Ｇの比率が増加し、右向き矢印の方向に進むにつれて赤色ドット３０Ｒに対する青色ドット３０Ｂの比率が増加している。そして、各々の有機ＥＬ画素４０は上記の比率で定まる、各々の該画素毎に異なる波長範囲の光を射出する。したがって、三原色のいずれかの単色光を射出する有機ＥＬ画素４０を組み合わせていた上述の有機ＥＬ装置１〜３に比べて、解像度が向上している。
【００８４】
ここで、図９に示す摸式平面図においては、遮光性ドットは形成していないが、上述の有機ＥＬ装置１〜３と同様に、各々の有機ＥＬ画素４０の画素領域４５内に有色ドットと遮光性ドットとを組み合わせて（混合して）配置することで、階調性も表現できる。したがって、本実施形態の有機ＥＬ装置４は、有機ＥＬ装置１〜３と同様の有機ＥＬ画素４０間の階調性を発揮できると共に、１つの有機ＥＬ画素４０で表現できる色の細かさである色分解能が向上する。したがって、本実施形態の有機ＥＬ装置４は階調性とともに解像性も向上した画像を表示でき、より一層多様性に富んだ画像表示を可能としている。
【００８５】
なお、白色発光機能層４２Ｗは、白色光を発光する有機ＥＬ材料を用いて形成することができる。また、三原色の夫々を発光する３種類の発光層を積することにより形成してもよい。また、有機ＥＬ装置４は、隔壁１８と平面視で重なる領域には有色ドット及び遮光性ドットを形成していないが、かかる領域に遮光性ドットを形成して、隣り合う有機ＥＬ画素４０との間の混色を抑制することも可能である。
【００８６】
（変形例１）
上述の第１〜４の実施形態の有機ＥＬ装置は、隔壁１８が透明絶縁材料で形成されているが、該隔壁を遮光性材料で形成する態様も可能である。かかる態様によれば発光表示時の（陰極２２による）反射光を低減でき、該表示時の表示品質を向上できる。
【００８７】
（変形例２）
上述の第１〜４の実施形態の有機ＥＬ装置は、機能液受容部４４を、隔壁１８で区画された凹部として形成している。しかし、隔壁１８を用いずに局所的に機能液７４等を配置する態様も可能である。表示面７上に形成するインク受容層１４と同様の、膨潤型受容層又はマイクロポーラス型受容層等を形成することで、隔壁１８を用いずに、隣り合う機能液受容部４４に互いに異なる機能液７４等の液材を配置することができる。
【００８８】
（変形例３）
上述の第１〜４の実施形態の有機ＥＬ装置は、画素領域４５の平面視での形状が円形であるが、かかる形状に限定されるものではない。円形に替わって四角形や六角形を用いることもできる。該多角形を用いた場合、角の部分には液滴（機能液７４の液滴７３）が充填されにくい。かかる場合は該角の部分を円形に丸めた形状として対処できる。
【００８９】
（変形例４）
上述の第１〜４の実施形態の有機ＥＬ装置は、陽極２１側から光を射出しているが、陰極２２側から射出する態様も可能である。陰極２２を極薄く形成することで透光性を付与すると共に陽極２１に裏面に反射層を形成すれば、陰極２２側から有機ＥＬ画素４０の光を射出できる。かかる場合、陰極２２の平面視で隔壁１８と重なる領域を厚く形成することで、該陰極の抵抗を下げつつ透光性を付与できる。
【００９０】
（変形例５）
上述の第１〜４の実施形態の有機ＥＬ装置において、陽極２１と陰極２２との間に印加する電圧を多段階に設定することもできる。特に、第２の実施形態の有機ＥＬ装置２においては、かかる構成により外光の強弱に合わせて電圧を設定でき、表示品質を維持しつつ消費電力を低減できる。
【図面の簡単な説明】
【００９１】
【図１】第１の実施形態にかかる有機ＥＬ装置の工程断面図。
【図２】第１の実施形態にかかる有機ＥＬ装置の工程断面図。
【図３】第１の実施形態にかかる有機ＥＬ装置の工程断面図。
【図４】第１の実施形態にかかる有機ＥＬ装置の階調性を示す図。
【図５】第１の実施形態にかかる有機ＥＬ装置の効果を示す図。
【図６】第２の実施形態にかかる有機ＥＬ装置の模式断面図。
【図７】第３の実施形態にかかる有機ＥＬ装置の模式断面図。
【図８】第４の実施形態にかかる有機ＥＬ装置の模式断面図。
【図９】第４の実施形態にかかる有機ＥＬ装置の画素領域内における有色ドットの配置を示す摸式平面図。
【図１０】従来の有機ＥＬ装置の階調性を示す図。
【符号の説明】
【００９２】
１…発光表示装置としての有機ＥＬ装置、２…発光表示装置としての有機ＥＬ装置、３…発光表示装置としての有機ＥＬ装置、４…発光表示装置としての有機ＥＬ装置、７…第１の面としての表示面、８…第２の面としての裏面、１０…透光性基板、１２…封止基板、１４…インク受容層、１６…バリア層、１８…隔壁、２０…接着層、２１…第１の電極としての陽極、２２…第２の電極としての陰極、２５…透明絶縁層、２６…表示領域、２７…発光表示領域、２８…反射表示領域、３０Ｒ…赤色ドット、３０Ｇ…緑色ドット、３０Ｂ…青色ドット、３９…ノズル、４０…発光画素としての有機ＥＬ画素、４０Ｂ…青色発光画素としての青色有機ＥＬ画素、４０Ｇ…緑色発光画素としての緑色有機ＥＬ画素、４０Ｋ…黒色画素、４０Ｒ…赤色発光画素としての赤色有機ＥＬ画素、４０Ｗ…白色有機ＥＬ画素、４２…発光機能層、４２Ｂ…青色発光機能層、４２Ｇ…緑色発光機能層、４２Ｒ…赤色発光機能層、４２Ｗ…白色発光機能層、４４…凹部としての機能液受容部、４５…画素領域、４９…透過ドット、５０Ｃ…遮光性ドットとしてのシアンドット、５０Ｋ…遮光性ドットとしての黒色ドット、５０Ｍ…遮光性ドットとしてのマゼンタドット、５０Ｙ…遮光性ドットとしてのイエロードット、７１…黒色インクの液滴、７２…色材インクの液滴、７３…発光機能層材料を含有する液材の液滴、７４…有機ＥＬ材料を含む機能液、７５…透明絶縁材料を含有する液材の液滴、７６…透明絶縁材料を含有する液材。
【図１】
2009276506.tif 000003
【図２】
2009276506.tif 000004
【図３】
2009276506.tif 000005
【図４】
2009276506.tif 000006
【図５】
2009276506.tif 000007
【図６】
2009276506.tif 000008
【図７】
2009276506.tif 000009
【図８】
2009276506.tif 000010
【図９】
2009276506.tif 000011
【図１０】
2009276506.tif 000012